(57)【要約】【課題】オイルタンクを小形化できるクライストロンを提供する。【解決手段】クライストロン本体11は、電子銃部18、高周波相互作用部19、およびコレクタ部20を有する。高周波相互作用部19の周囲に、集束コイル12を配置する。クライストロン本体11に、電子銃部18を収容するオイルタンク13を取り付ける。オイルタンク13には電子銃部18の端子21を配設する。【選択図】図１
2014139886.tif 000002
【特許請求の範囲】
【請求項１】
電子銃部、高周波相互作用部およびコレクタ部を有するクライストロン本体と、
前記高周波相互作用部の周囲に配置された集束コイルと、
前記電子銃部を収容して前記クライストロン本体に取り付けられるオイルタンクと
を具備していることを特徴とするクライストロン。
【請求項２】
前記オイルタンクに前記電子銃部の端子が配設されている
ことを特徴とする請求項１記載のクライストロン。
【請求項３】
前記集束コイルの上方に前記オイルタンクへのアクセスポートが設けられ、前記クライストロン本体と前記集束コイルとの間に前記アクセスポートと前記オイルタンクとを接続する配管が配設されている
ことを特徴とする請求項１または２記載のクライストロン。
【請求項４】
前記クライストロン本体を冷却する冷却装置を具備し、この冷却装置により前記オイルタンク内を冷却する
ことを特徴とする請求項１ないし３いずれか一記載のクライストロン。
【発明の詳細な説明】
【技術分野】
【０００１】
本発明の実施形態は、高周波電力を増幅するクライストロンに関する。
【背景技術】
【０００２】
従来、クライストロンは、電子ビームを発生する電子銃部、電子ビームと高周波電界との相互作用により高周波電力を増幅する高周波相互作用部、および用済みの電子ビームを捕捉するコレクタ部を有するクライストロン本体と、高周波相互作用部の周囲に配置されて電子ビームを集束する集束コイルとを備えている。
【０００３】
また、電子銃部をオイルタンクのオイル内に配置し、電子銃部を絶縁および冷却するようにしている。オイルタンクは大形に形成され、このオイルタンクにクライストロンが設置されている。あるいは、オイルタンクは集束コイルの枠体に取り付けられている。
【先行技術文献】
【特許文献】
【０００４】
【特許文献１】特公平５−３０９７号公報
【発明の概要】
【発明が解決しようとする課題】
【０００５】
従来のクライストロンでは、オイルタンクにクライストロンを設置する構造であるため、あるいはオイルタンクを集束コイル側に取り付ける構造であるため、オイルタンクが大形になっていた。
【０００６】
本発明が解決しようとする課題は、オイルタンクを小形化できるクライストロンを提供することである。
【課題を解決するための手段】
【０００７】
本実施形態のクライストロンは、電子銃部、高周波相互作用部およびコレクタ部を有するクライストロン本体と、前記高周波相互作用部の周囲に配置された集束コイルと、前記電子銃部を収容して前記クライストロン本体に取り付けられるオイルタンクとを具備しているものである。
【図面の簡単な説明】
【０００８】
【図１】一実施形態を示すクライストロンの一部を切り欠いた側面図である。
【発明を実施するための形態】
【０００９】
以下、一実施形態を、図１を参照して説明する。
【００１０】
クライストロン10は、クライストロン本体11、集束コイル12、オイルタンク13、および冷却装置14を備えている。
【００１１】
クライストロン本体11は、電子ビームを発生する電子銃部18、電子ビームと高周波電界との相互作用により高周波電力を増幅する高周波相互作用部19、および用済みの電子ビームを捕捉するコレクタ部20を備えている。電子銃部18は、電子ビームを放出するカソードやカソードを加熱するヒータに電気的に接続される複数の端子21を備えている。また、高周波相互作用部19は、電子銃部18から放出された電子ビームが通過するドリフト管、電子ビームの進行方向に沿ってそれぞれドリフト管に接続された入力空胴、複数の中間空胴および出力空胴を有し、入力空胴に高周波電力を入力する入力部が接続され、出力空胴に増幅された高周波電力を出力する出力部が接続されている。また、電子銃部18と高周波相互作用部19との間に電子銃側ポールピース22が配設され、コレクタ部20と高周波相互作用部19との間にコレクタ側ポールピース23が配設されている。
【００１２】
また、集束コイル12は、磁極として構成される枠体26に保持され、高周波相互作用部19の周囲に間隔をあけて配置されている。枠体26の両端部は電子銃側ポールピース22およびコレクタ側ポールピース23にそれぞれ接続されている。
【００１３】
また、オイルタンク13は、例えば樹脂などの絶縁材で、上面が開口する有底円筒状に形成され、上面開口から電子銃部18を収容し、クライストロン本体11に取り付けられている。オイルタンク13の上端部にはクライストロン本体11の電子銃側ポールピース22の下面にＯリングなどを介してボルトにより締付固定して密閉状態に取り付けられる取付部29が設けられている。オイルタンク13の下面には、電子銃部18の各端子21が密閉状態で挿通配置され、各端子21が突出されている。そして、オイルタンク13内には絶縁性を有するオイルが満たされる。
【００１４】
クライストロン本体11には、コレクタ側ポールピース23および集束コイル12より上方位置に、オイルタンク13へのアクセスポート31が設けられている。このアクセスポート31とオイルタンク13とを連通接続する配管32が、クライストロン本体11と集束コイル12との間を通じてクライストロン本体11に沿って配設されている。アクセスポート31には、オイルを注入するためのオイル注入口およびエア抜き用のエアブリーザなどのアクセス部33が連通接続されている。
【００１５】
また、冷却装置14は、冷却水を冷却管36によってクライストロン本体11の冷却箇所に導き、クライストロン本体11を冷却する。冷却管36の一部は電子銃側ポールピース22を貫通してオイルタンク13内に配置され、オイルタンク13内のオイルを冷却する。
【００１６】
このように構成されたクライストロン10では、電子銃部18から放出された電子ビームが、集束コイル12の磁場により集束されて、高周波相互作用部19のドリフト管に入り、管軸に沿って進行する。電子ビームは、入力空胴に入力された高周波電力により速度変調され、ドリフト管および中間空胴を通過中に密度変調される。その後、電子ビームが出力空胴を通過するとき、増幅された高周波電力が外部に出力される。ドリフト管を出た電子ビームは、コレクタ部20に捕捉される。
【００１７】
そして、オイルタンク13を絶縁材で形成しているため、クライストロン本体11に取り付けることができる。オイルタンク13を金属材で形成した場合、絶縁性に問題が生じるとともに、集束コイル12の磁場に悪影響が生じる。このようにオイルタンク13をクライストロン本体11に取り付けることができるため、電子銃部18を収容するだけの容積でよいため、オイルタンク13を小形化できる。これにより、オイルの使用量も削減できる。
【００１８】
オイルタンク13には電子銃部18の端子21を配設するため、オイルタンク13をより小形化できる。
【００１９】
また、集束コイル12の上方にオイルタンク13へのアクセスポート31を設け、クライストロン本体11と集束コイル12との間にアクセスポート31とオイルタンク13とを接続する配管32を配設しているため、クライストロン本体11を集束コイル12に収納した状態で、アクセス部33からオイルタンク13へオイルを注入することができる。さらに、アクセス部33からは、クライストロン10の動作中にオイルが噴き出すことで温度の異常などを把握することもできる。
【００２０】
また、クライストロン本体11を冷却する冷却装置14を利用し、この冷却装置14によりオイルタンク13内も冷却することができ、冷却装置14を共用できる。
【００２１】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２２】
10    クライストロン
11    クライストロン本体
12    集束コイル
13    オイルタンク
14    冷却装置
18    電子銃部
19    高周波相互作用部
20    コレクタ部
21    端子
31    アクセスポート
32    配管
【図１】
2014139886.tif 000003